(57)【特許請求の範囲】
【請求項１】
合わせ縫いとなっているワイシャツの襟台の上部（襟と襟台の縫い合わせ部）のソーイングの下部に、第１ボタンの縫い付け部位、及び第１ボタンのボタンホール部位から横方向にソーイングして設けたカラーキーパーの収納部に、半円形にカールした形状で幅１０ミリ程度、長さ８０ミリ程度のプラスチック製のカラーキーパーを挿入して着用することにより、クールビズで第１ボタンを外しても襟元が開きすぎて、だらしなく見えることが防げるワイシャツであって、ワイシャツの襟台の上部のソーイングと、第１ボタンの縫い付け部位、及び第１ボタンのボタンホール部位から横方向に延びるソーイングとのワイシャツの鉛直方向の距離は、カラーキーパーの幅よりも大きく形成され、第１ボタンの縫い付け部位、及び第１ボタンのボタンホール部位から横方向に延びるソーイングの横方向の長さは、カラーキーパーの長さよりも短く形成されるワイシャツ
【請求項２】
頸部に圧迫感や違和感を与えずに適度に襟元が開いてクールビズの効果を得ることができるように、襟台全周ではなく、襟台の左右前部の外側（ネックバンド部）に設けたカラーキーパー収納部に、半円形にカールした形状のプラスチック製で、挿入や抜去が容易にできる幅１０ミリ程度、長さ８０ミリ程度のカラーキーパーを挿入して、クールビズでも襟元が開きすぎて、だらしなく見えることが防げるワイシャツ
【発明の詳細な説明】
【技術分野】
【０００１】  本発明は、夏季のクールビズ期間にノーネクタイで使用しても襟元が開きすぎてだらしなく見えることが防げるワイシャツに関するものである。
【背景技術】
【０００２】
【実用新案文献１】
実用新案登録第３１７８６５０号
この公知発明は磁石を留具として利用し、ワイシャツの襟の部分を固定して開きすぎを防ごうとするものであり、本発明と目的は同じでも手段は全く異なる。
【実用新案文献２】実願昭５４−０６０１０３号（実開昭５５−１５９８０１号）
この公知発明はカッターシャツ襟台の全周、即ち頸部のほぼ全周に馬蹄形状のステンレス鋼板や合成樹脂板等の短冊形板体からなる台襟保形具（カラーキーパー）を装着するものであり、頸部への圧迫感や違和感は避けられず、詰襟型の学生服の襟カラーと同様に必ずしもクールビズの趣旨に沿わないものと考えられ、本発明が目的とする圧迫感や違和感の無い快適な装着感での着用、あるいは容易にカラーキーパーの挿入や抜去ができるクールビズ用のワイシャツとは異なるものである。
【特許文献１】特開２０１６−５３２３３  この公知発明はボタンダウンシャツやスナップダウンシャツの代わりにピンバッジ様の留具を用いてワイシャツの襟の部分を固定して開きすぎを防ごうとするものであり、本発明と目的は同じでも手段は全く異なる。
【特許文献２】特開２００９−２８４６７  この公知発明はネクタイの代わりに様々なデザインの貴金属や宝石をあしらった襟珠を用いて襟の部分の開きすぎを防ごうとするものであり、本発明と目的は類似していても手段は全く異なる。
【発明が解決しようとする課題】
【０００３】  本発明の目的は、夏季のクールビズの期間にネクタイを外すと普通のワイシャツでは襟元が開きすぎてだらしなく見え、これを嫌う人も多い。
そのためにボタンダウンシャツやスナップダウンシャツを別に揃えて着用する人も多いが、逆に襟が立ちすぎて快適さを阻害するという問題点がありこのデザインを嫌う人も多い。
【０００４】  本発明は上記のような問題点、即ち、ネクタイを外すと普通のワイシャツでは襟元が開きすぎてだらしなく見える、ボタンダウンやスナップダウンでは襟が立ちすぎて快適さを阻害するという問題点を解決するために、ネクタイを外しても襟元が開きすぎず、しかも、頸部の圧迫感も無く、適度に開き快適に着用できるワイシャツを提供することを目的とするものである。
【課題を解決するための手段】
【０００５】  本来はワイシャツの襟がカールすることを防ぐためのカラーキーパーを、全く新しい発想で、敢えて半円形にカールさせた形状のプラスチック製（ポリエステル等）のカラーキーパー（概、幅１０ミリ程度、長さ８０ミリ程度）を２本用意。
このカールしたカラーキーパーをワイシャツ襟台の外側（ネックバンド部）上部の左右前部に設けたカラーキーパー収納部に挿入することにより襟台を適度にカールさせ第１ボタンを外しても襟元が開きすぎずだらしなく見えないようにする。
また、プラスチック製のカラーキーパーであることからフレキシビリティーがあり、このため、半円形にカールした形状でも着用するとカールの程度が抑えられるため頸部が圧迫されるような感じもなく、適度に襟元が開いてクールビズの効果を得ることができる。
しかも、ボタンダウンシャツやスナップダウンシャツのように襟先（剣先）を前身頃に固定していない普通のワイシャツであるため、ボタンダウンシャツやスナップダウンシャツのように襟が立ちすぎて、着用中に顎の下部を押し上げて快適さを阻害したり、あるいは襟元がホーン状に開いてだらしなく見えることもない。
【０００６】  ワイシャツの襟台は襟と同様に合わせ縫いとなっている。この合わせ縫いを活用してカラーキーパーの収納部を作るため、襟台上部（襟と襟台の縫い合わせ部）のソーイングの下部を、カラーキーパーの幅（１０ミリ程度）よりやや広めの幅（１１ミリ程度）で、第１ボタンの縫い付け部位及び第１ボタンのボタンホール部位から平行（横方向）に襟台の左右一箇所づつをソーイングしてカラーキーパーの収納部を作成。
ソーイングの長さはカラーキーパーの挿入や抜去が容易に出来るように、カラーキーパーの長さ（８０ミリ程度）より１０ミリ程度短い７０ミリ程度とし、襟台の外側（ネックバンド部）にカラーキーパーの挿抜口を設ける。
【０００７】  カラーキーパーの厚さや硬さ、あるいはカールの程度を変えることにより、各ワイシャツメーカーで襟元の開き具合を好みのものとすることができる。
また、厚さや硬さ、あるいはカールの程度が異なる複数のカラーキーパーをワイシャツに添付して販売することにより、消費者も自分の好みの開き具合のワイシャツを着用することができる。
【０００８】  カラーキーパーは挿抜が容易に出来るデザインとなっており、ネクタイを着用するときはカラーキーパーを外して使用することも可能である。
また、カラーキーパーは幅１０ミリ程度、長さ８０ミリ程度のカールしたフレキシビリティのあるプラスチック製であり、襟台の全周ではなく襟台の前部のみに挿入していることから、外さなくても普通のワイシャツと全く同じ感覚でネクタイを着用できる。
【図面の簡単な説明】
【図１】  本発明のカラーキーパーの形状である（半円形にカールした形状に成型された透明のプラスチック製：襟台前部に設けた左右のカラーキーパー収納部に、カールした内面側を頸部側に向けて挿入）
【図２】  本発明のワイシャツの襟台の外側上部の左右前部に設けたカラーキーパー収納部にカラーキーパーを挿入した状態の図である（本図は右襟台の図）
【符号の説明】  ａ  半円形にカールした形状に成型された「透明」のプラスチック製（ポリエステル等      ）のカラーキーパー
ｂ  カラーキーパーの幅（概１０ｍｍ程度）
ｃ  カールした形状に成型されたカラーキーパーの長さ（概８０ｍｍ程度）
ｄ  カラーキパーの前部（挿入しやすいように前部は細くしてある）
ｅ  右襟の前部
ｆ  第１ボタン（襟台ボタン）
ｇ  右襟台の前部
ｈ  第２ボタン
ｉ  カラーキーパーの挿入口（かがり縫い）
ｊ  収納部に挿入されたカラーキーパー（透明のプラスチック製）
ｋ  カラーキーパー収納部を作るためのソーイング部位
ｌ  右前身頃の上部
【要約】
【課題】  夏季のクールビズの期間にネクタイを外すと普通のワイシャツでは襟元が開きすぎてだらしなく見える。ボタンダウンシャツやスナップダウンシャツでは襟が立ちすぎて快適さを阻害するという課題がある。
【解決手段】  ワイシャツ襟台の外側上部の左右前部に設けたカラーキーパー収納部に、半円形にカールした形状のプラスチック製のカラーキーパーを挿入することにより、クールビズ期間でも襟元が開きすぎてだらしなく見えることを防ぐ。
【選択図】図２【図１】
0006715454.tif 000002
【図２】
0006715454.tif 000003